(57)【要約】      （修正有）【課題】電力を使うことなく、昼間の太陽光を蓄えて夜間に光る、簡便で高輝度の夜光表示装置を提供する。【解決手段】プリーツ状に成型あるいは形成された所謂集光シートと蓄光材料とを組み合わせ、且つ集光シートに混練された蛍光剤の励起波長と蓄光剤の発光波長を一致させており、プリーツ状に成型あるいは形成されていることにより、太陽光入射面積に比して集光シートの面積すなわち蓄光剤の面積を広くすることができる。さらに、集光シートの端面の面積（断面積）はシート面積よりも遥かに狭い。この２つの効果が重なるために、入射した太陽光が一旦蓄光されて端面から増幅されて放出される。【選択図】図１
2005338655.tif 000002
【特許請求の範囲】
【請求項１】
プリーツ状に成型あるいは形成された集光シート１、該集光シートの裏面に塗布あるいは貼付された蓄光剤２、表示板３およびケース４から成り、前記集光シートに混練された蛍光剤の励起波長と前記蓄光剤の発光波長が重なることを特徴とする夜行表示装置。
【請求項２】
プリーツ状に成型あるいは形成された集光シート１、表示板３およびケース４から成り、前記集光シートに混練された蛍光剤が蓄光性材料であることを特徴とする夜行表示装置。
【発明の詳細な説明】
【技術分野】
【０００１】
本発明は、電気を使用しない夜光表示装置に関するものである。。
【背景技術】
【０００２】
蓄光剤を使った夜行表示装置としては、時計の文字盤や長短針に代表される夜光塗料が広く普及している。これらは残光性を有する蛍光材料を文字盤や長短針の表面に塗布したものであり、簡便ではあるが、輝度は１平方メートル辺り５カンデラが限界であるために標識や看板の用途には向かない。そこで、キセノンランプや発光素子と蓄光剤を組み合わせて輝度を高めることにより標識や看板に用いる工夫がなされている。しかしながら、キセノンランプや発光素子と組み合わせる方式は構造が複雑である上に、電力を大量に消費するという不都合がある。
【０００３】
このように、電力を使うことなく、昼間の太陽光を蓄えて夜間に光らせる夜光看板や夜光標識はこれまでに存在しない。
【特許文献１】特許公開平７−２８７５４１
【特許文献２】特許公開平９−０４０９４４
【特許文献３】特許公開平９−３１１６５２
【特許文献４】特許公開平１０−０６３２０７
【特許文献５】特許公開平１０−１８８６０１
【特許文献６】特許公開２００２−２５１１５４
【発明の開示】
【発明が解決しようとする課題】
【０００４】
本発明は以上の事情に鑑み為されたもので、その解決せんとする課題は、電力を使うことなく、昼間の太陽光を蓄えて夜間に光る、簡便で高輝度の夜光表示装置を提供する手段を見出すことにある。
【課題を解決するための手段】
【０００５】
本発明では、プリーツ状に成型あるいは形成された所謂集光シートと蓄光材料とを組み合わせ、且つ図２に示すように集光シートに混練された蛍光剤の励起波長と蓄光剤の発光波長を一致させることによってこの課題を解決した。
【０００６】
即ち、昼間に集光シート上面に注がれた太陽光は、一部は反射し、大部分は集光シート内に入射する。入射した太陽光の一部はシート下面を透過する。集光シート下面には蓄光材料が塗布あるいは貼付されているので、透過した光（主にその内の紫外線）は蓄光剤の主成分であるところの蛍光剤を励起する。蓄光剤は残光特性を有するために、励起された後、長時間にわたって徐々に発光する。蓄光剤から発光された光は集光シートに入射する。集光シートに混練された蛍光剤の励起波長と蓄光剤の発光波長を一致させてあるので、集光シートに入射した光は、集光シートに混練された蛍光剤を励起する。励起されて発光された光の一部は集光シート上面から放射されるが、大部分は全反射を繰り返しながら集光シート端面に至り、端面から放出される。
【０００７】
プリーツ状に成型あるいは形成されていることにより、太陽光入射面積に比して集光シートの面積すなわち蓄光剤の面積を広くすることができる。さらに、集光シートの端面の面積（断面積）はシート面積よりも遥かに狭い。この２つの効果が重なるために、入射した太陽光が一旦蓄光されて端面から増幅されて放出される。増幅率は、プリーツ率や集光シートの薄さによって異なるが、１０倍以上にすることは極めて容易である。
【０００８】
このようにして、上部から注がれた昼間の太陽光は増幅されて夜間、水平方向に表示板を透過して発光される。表示板には透過率の差異により視認されるように文字あるいは図形が描かれているので、夜間に遠方からでも明瞭に文字あるいは図形を認識できる。
【発明の効果】
【０００９】
本発明により、昼間の太陽光を蓄えて夜間に光る、簡便で高輝度の夜光表示装置を提供する手段が実現された。
【発明を実施するための最良の形態】
【００１０】
集光シートは図１に示したようにプリーツ状、すなわちジグザグ状に作られる。プリーツ状にする方法としては、射出成型による一体成型や、平板からの曲げ成型が工業的には望ましいが、より簡便な方法としては、複数の矩形の集光シートを繋ぎ合わせる方法が有る。プリーツ率、即ち集光シート総面積と上部入射面積の比率は１０程度が最良である。
【００１１】
集光シートに混練される蛍光剤としては、残光性のものが好ましい。この場合には集光シートの裏面に蓄光剤、即ち残光性を有する蛍光剤を塗布あるいは貼付する必要が無くなる。集光シートに混練される蛍光剤が残光性のものでない場合には、集光シートの裏面に蓄光剤を塗布あるいは貼付する。この場合、図２に示すように集光シートに混練された蛍光剤の励起波長と裏面に塗布された蓄光剤の発光波長が概ね一致するように選ぶ。蓄光剤が最も代表的な緑色系の蛍光剤の場合は、集光シートはオレンジ色系が最良である。
【００１２】
プリーツ状に作られた集光シートは上面と前面が開放されたケースに収められる。ケースの内側は反射率の高い材料を貼付あるいは塗布しておくことが望ましい。ケース前面には、半透明の表示板が設置される。表示板の材質としては曇りガラスが最良であるが、半透明のプラスチック板でも構わない。表示板には、文字や図形が貼り付け、切り抜き、描画等の手段によって描かれる。これらの文字や図形は、背景との透過率の差によって視認される。
【００１３】
ケース上面には、雨よけのための透明板が設けられる。この透明板の材質はガラスが最良であるが、ポリカーボネイトのような紫外線に強いプラスチックを用いてもよい。
【００１４】
このようにして作られた箱型の夜光表示装置は、上面に陽光が注ぎ、前面が目的とする方向に晒されるように設置されて、標識、看板、表札等の目的に供される。
【００１５】
以上、蓄光性を有さぬ蛍光剤が混連された一般の集光シートの場合の最良の実施形態について説明したが、請求項２で訴求下ごとく、集光シートに蓄光性を有する蛍光剤が混連することによって、蓄光剤を集光シート裏面に塗布あるいは貼付することを省略できる。
【産業上の利用可能性】
【００１６】
本発明になる夜光表示装置は主として表札、標識、広告看板、案内板として利用されて、電力節減に寄与する。
【図面の簡単な説明】
【００１７】
【図１】本発明になる夜光表示装置のの基本構造図である。
【図２】集光シートに混練された蛍光剤の励起波長と蓄光剤の発光波長の関係を示す図である。
【符号の説明】
【００１８】
１    集光シート
２    蓄光剤
３    表示板
４    ケース
５    透明板
【図１】
2005338655.tif 000003
【図２】
2005338655.tif 000004